(57)【特許請求の範囲】
【請求項１】
画像形成装置本体と、前記画像形成装置本体と周辺機との接続経路上に挿入されたインタフェースボックスとを有する画像形成装置であって、
前記インタフェースボックスは、
前記周辺機で実行される後処理の種類の情報が記録される記憶領域と、
前記画像形成装置本体の起動時に前記記憶領域に記録された前記後処理の種類の情報を前記画像形成装置本体に通知する通知手段と
を備え、
前記画像形成装置本体は、
通知された前記後処理の種類の情報に基づき、印刷コマンドおよび後処理コマンドの少なくとも１つを発行する発行手段
を備え、
前記発行手段は、
前記後処理の種類の情報が１枚処理を示す場合に、最終ページが完了するまで繰り返して１枚分の前記印刷コマンドおよび前記後処理コマンドを発行し、
前記後処理の種類の情報が束処理を示す場合に、最終ページが完了するまで繰り返して１枚分の前記印刷コマンドを発行し、最終ページの完了後に１束分の前記後処理コマンドを発行し、
前記後処理の種類の情報が１枚処理と束処理との両方を示す場合に、最終ページが完了するまで繰り返して１枚分の前記印刷コマンドおよび前記後処理コマンドを発行し、最終ページの完了後に１束分の前記後処理コマンドを発行する
ことを特徴とする画像形成装置。
【請求項２】
請求項１に記載の画像形成装置において、
前記画像形成装置本体と前記インタフェースボックスの接続経路上に挿入される内作周辺機
を備えたことを特徴とする画像形成装置。
【請求項３】
画像形成装置を構成するコンピュータを、
画像形成装置本体と周辺機との接続経路上に挿入されたインタフェースボックスに設けられた記憶領域に記録された、前記周辺機で実行される後処理の種類の情報を、前記画像形成装置本体の起動時に、前記インタフェースボックスから前記画像形成装置本体に通知する通知手段と、
通知された前記後処理の種類の情報に基づき、前記画像形成装置本体において印刷コマンドおよび後処理コマンドの少なくとも１つを発行する発行手段
として機能させ、
前記発行手段は、
前記後処理の種類の情報が１枚処理を示す場合に、最終ページが完了するまで繰り返して１枚分の前記印刷コマンドおよび前記後処理コマンドを発行し、
前記後処理の種類の情報が束処理を示す場合に、最終ページが完了するまで繰り返して１枚分の前記印刷コマンドを発行し、最終ページの完了後に１束分の前記後処理コマンドを発行し、
前記後処理の種類の情報が１枚処理と束処理との両方を示す場合に、最終ページが完了するまで繰り返して１枚分の前記印刷コマンドおよび前記後処理コマンドを発行し、最終ページの完了後に１束分の前記後処理コマンドを発行する
画像形成プログラム。
【請求項４】
画像形成装置を構成するコンピュータが実行する方法であって、
画像形成装置本体と周辺機との接続経路上に挿入されたインタフェースボックスに設けられた記憶領域に記録された、前記周辺機で実行される後処理の種類の情報を、前記画像形成装置本体の起動時に、前記インタフェースボックスから前記画像形成装置本体に通知する通知工程と、
通知された前記後処理の種類の情報に基づき、前記画像形成装置本体において印刷コマンドおよび後処理コマンドの少なくとも１つを発行する発行工程と
を備え、
前記発行工程では、
前記後処理の種類の情報が１枚処理を示す場合に、最終ページが完了するまで繰り返して１枚分の前記印刷コマンドおよび前記後処理コマンドを発行し、
前記後処理の種類の情報が束処理を示す場合に、最終ページが完了するまで繰り返して１枚分の前記印刷コマンドを発行し、最終ページの完了後に１束分の前記後処理コマンドを発行し、
前記後処理の種類の情報が１枚処理と束処理との両方を示す場合に、最終ページが完了するまで繰り返して１枚分の前記印刷コマンドおよび前記後処理コマンドを発行し、最終ページの完了後に１束分の前記後処理コマンドを発行する
ことを特徴とする画像形成方法。
【発明の詳細な説明】
【技術分野】
【０００１】
本発明は、画像形成装置、画像形成プログラムおよび画像形成方法に関する。
【背景技術】
【０００２】
商用印刷やオフィス内での基幹系印刷等を対象としたプロダクションプリンティングと呼ばれる分野が存在する。
【０００３】
プロダクションプリンティング市場では、プリンタ本体（画像形成装置本体）とインライン（印刷から後処理までを一連）で処理可能な後処理（製本・パンチ等）の種類の豊富さが他社との差別化のポイントとなる（例えば、特許文献１、２等を参照。）。
【０００４】
また、プロダクションプリンティングは、少ロット多ＴＤＶ（Total Document Value）が特徴であり、１種類の周辺機の出荷台数はさほど多くない。そのため、後処理のための周辺機（後処理機）を自社開発するよりも周辺機のサードベンダ（周辺機ベンダ）と契約してインタフェース部を作り込み、サードベンダ周辺機を自社ブランドで販売する方がコスト的に有利なケースが多い。
【０００５】
なお、自社周辺機（内作周辺機）のインタフェースは周辺機を詳細に制御するため、複雑な仕様になっている。そのため、周辺機ベンダにインタフェースを公開してインタフェース部を作り込む場合であっても、周辺機ベンダと自社の双方にとって対応難易度が高く、かなりのコストを要する場合があり、サードベンダ周辺機を利用するコスト的メリットが低減してしまう。
【０００６】
そこで、自社とサードベンダ周辺機のインタフェースを単純化して汎用的な仕様にし、サードベンダ周辺機との接続を容易にすることが考えられる。
【発明の概要】
【発明が解決しようとする課題】
【０００７】
上述したように、インタフェースを単純化し汎用的な仕様にした場合、画像形成装置本体からサードベンダ周辺機への指示（命令）の引き渡しや、サードベンダ周辺機で生じた致命的なエラー等の情報の通知は行えるが、サードベンダ周辺機に固有の詳細な情報の交換は困難となる。
【０００８】
この種の後処理のための周辺機では、転写紙への後処理種類として束処理と１枚処理とがあるが、サードベンダ周辺機において後処理種類の情報の取得のためのインタフェースは各社で異なっており、これらを汎用的な仕様に統合するのは困難である。なお、１枚処理は、転写紙の１枚毎に後処理を行うものであり、束処理は、複数の転写紙を束ねて後処理を行うものである。
【０００９】
図１は１枚処理と束処理の例を示す図であり、図１（ａ）は１枚処理の一例として各転写紙の一端にパンチを施す場合を示し、図１（ｂ）は束処理の一例として、複数の転写紙に対してステープルを施す場合を示している。１枚処理としては、パンチのほかに、１枚折り、筋付け等がある。束処理としては、ステープルのほかに、くるみ製本、リング製本、重ね折り等がある。リング製本では、各転写紙に対してパンチを行った後にリングを通す処理であるため、転写紙に対して１枚処理と束処理の両方が行われることになる。
【００１０】
図２は１枚処理と束処理でのコントローラ（画像形成装置本体）からエンジン（画像形成装置本体、周辺機）への指示の例を示す図である。
【００１１】
図２（ａ）は１枚処理の一例として各転写紙の一端にパンチを施す場合を示しており、コントローラからは各転写紙について印刷の指示とパンチの指示が出力される。
【００１２】
図２（ｂ）は束処理の一例として、複数の転写紙に対してステープルを施す場合を示しており、コントローラからは、１部を構成する４枚目までは各転写紙について印刷の指示が出力され、それに続いてステープルの指示が出力される。
【００１３】
このように、１枚処理と束処理ではコントローラに求められる動作が異なるため、動作開始前に後処理種類を知る必要があるが、前述したように単純化し汎用的な仕様にしたインタフェースでは後処理種類の情報をサードベンダ周辺機から画像形成装置本体に通知することができない。そのため、画像形成装置本体では束処理あるいは１枚処理のいずれかに固定してソフト設計を行わざるを得ない。
【００１４】
その結果、画像形成装置本体を別のサードベンダ周辺機に対応させる際はソフト設計を変更する必要があり、そのための対応コストや対応期間が大きくなり、サードベンダ周辺機を利用するコスト的メリットが減殺されるという問題があった。
【００１５】
本発明は上記の従来の問題点に鑑み提案されたものであり、その目的とするところは、インラインで接続した周辺機の後処理の種類によらずソフト設計の変更を行うことなく対応可能とすることにある。
【課題を解決するための手段】
【００１６】
上記の課題を解決するため、本発明にあっては、画像形成装置本体と、前記画像形成装置本体と周辺機との接続経路上に挿入されたインタフェースボックスとを有する画像形成装置であって、前記インタフェースボックスは、前記周辺機で実行される後処理の種類の情報が記録される記憶領域と、前記画像形成装置本体の起動時に前記記憶領域に記録された前記後処理の種類の情報を前記画像形成装置本体に通知する通知手段とを備え、前記画像形成装置本体は、通知された前記後処理の種類の情報に基づき、印刷コマンドおよび後処理コマンドの少なくとも１つを発行する発行手段を備え、前記発行手段は、前記後処理の種類の情報が１枚処理を示す場合に、最終ページが完了するまで繰り返して１枚分の前記印刷コマンドおよび前記後処理コマンドを発行し、前記後処理の種類の情報が束処理を示す場合に、最終ページが完了するまで繰り返して１枚分の前記印刷コマンドを発行し、最終ページの完了後に１束分の前記後処理コマンドを発行し、前記後処理の種類の情報が１枚処理と束処理との両方を示す場合に、最終ページが完了するまで繰り返して１枚分の前記印刷コマンドおよび前記後処理コマンドを発行し、最終ページの完了後に１束分の前記後処理コマンドを発行する。
【発明の効果】
【００１７】
本発明にあっては、インラインで接続した周辺機の後処理の種類によらずソフト設計の変更を行うことなく対応可能とすることができる。
【図面の簡単な説明】
【００１８】
【図１】１枚処理と束処理の例を示す図である。
【図２】１枚処理と束処理でのコントローラからエンジンへの指示の例を示す図である。
【図３】画像形成装置本体とサードベンダ周辺機の接続の例を示す図である。
【図４】画像形成装置本体のハードウェア構成例を示す図である。
【図５】内作周辺機およびサードベンダ周辺機のハードウェア構成例を示す図である。
【図６】インタフェースボックスのハードウェア構成例を示す図である。
【図７】ソフトウェア構成例を示す図である。
【図８】実施形態の処理例を示すフローチャートである。
【発明を実施するための形態】
【００１９】
以下、本発明の好適な実施形態につき説明する。
【００２０】
＜構成＞
図３は画像形成装置本体１１とサードベンダ周辺機１４の接続の例を示す図である。
【００２１】
図３（ａ）では、画像形成装置本体１１の転写紙の流れの下流側にサードベンダ周辺機１４が接続された例を示している。図中の破線の矢印は転写紙の流れを示している。画像形成装置本体１１の末端とサードベンダ周辺機１４の間にはインタフェースボックス１３が接続されている。
【００２２】
図３（ｂ）では、画像形成装置本体１１の転写紙の流れの下流側に内作周辺機１２が接続され、この内作周辺機１２にサードベンダ周辺機１４が接続された例を示している。内作周辺機１２とサードベンダ周辺機１４の間にはインタフェースボックス１３が接続されている。画像形成装置本体１１と内作周辺機１２の間は所定仕様に基づくインタフェースで接続されている。なお、画像形成装置本体１１とサードベンダ周辺機１４の間に配置される内作周辺機１２は複数台でもよい。この場合、転写紙の流れの下流側の末端に配置される内作周辺機１２とサードベンダ周辺機１４の間にインタフェースボックス１３が接続される。
【００２３】
図４は画像形成装置本体１１のハードウェア構成例を示す図である。
【００２４】
図４において、画像形成装置本体１１は、コピー機能、スキャナ機能、プリンタ機能、ドキュメントボックス機能、ユーティリティ機能等の各種の機能を実現可能な本体部１１１０と、ユーザの操作を受け付ける操作部１１２０とを備える。本体部１１１０と操作部１１２０は、専用の通信路１１３０を介して相互に通信可能に接続されている。通信路１１３０は、例えばＵＳＢ（Universal Serial Bus）規格のものを用いることもできるが、有線か無線かを問わず任意の規格のものであってよい。なお、本体部１１１０は、操作部１１２０で受け付けた操作に応じた動作を行うことができる。また、本体部１１１０は、クライアントＰＣ（パーソナルコンピュータ）等の外部装置とも通信可能であり、外部装置から受信した指示に応じた動作を行うこともできる。
【００２５】
本体部１１１０は、ＣＰＵ（Central Processing Unit）１１１１と、ＲＯＭ（Read Only Memory）１１１２と、ＲＡＭ（Random Access Memory）１１１３と、ＨＤＤ（Hard Disk Drive）１１１４と、通信Ｉ／Ｆ（Interface）１１１５と、接続Ｉ／Ｆ１１１６と、エンジン部１１１７とを備え、これらがシステムバス１１１８を介して相互に接続されている。
【００２６】
ＣＰＵ１１１１は、本体部１１１０の動作を統括的に制御する。ＣＰＵ１１１１は、ＲＡＭ１１１３をワークエリア（作業領域）としてＲＯＭ１１１２またはＨＤＤ１１１４等に格納されたプログラムを実行することで、本体部１１１０全体の動作を制御し、上述したコピー機能、スキャナ機能、プリンタ機能、ドキュメントボックス機能、ユーティリティ機能等の各種機能を実現する。通信Ｉ／Ｆ１１１５は、ネットワークと接続するためのインタフェースである。接続Ｉ／Ｆ１１１６は、通信路１１３０を介して操作部１１２０と通信するためのインタフェースである。エンジン部１１１７は、コピー機能、スキャナ機能、および、プリンタ機能を実現させるための、汎用的な情報処理および通信以外の処理を行うハードウェアである。例えば、原稿の画像をスキャンして読み取るスキャナ（画像読取部）、用紙等のシート材への印刷を行うプロッタ（画像形成部等を備えている。更に、印刷済みシート材を仕分けるフィニッシャや、原稿を自動給送するＡＤＦ（Auto Document Feeder：自動原稿給送装置）のような特定のオプションを備えることもできる。
【００２７】
操作部１１２０は、ＣＰＵ１１２１と、ＲＯＭ１１２２と、ＲＡＭ１１２３と、フラッシュメモリ１１２４と、通信Ｉ／Ｆ１１２５と、接続Ｉ／Ｆ１１２６と、操作パネル１１２７と、外部接続Ｉ／Ｆ１１２８とを備え、これらがシステムバス１１２９を介して相互に接続されている。ＣＰＵ１１２１は、操作部１１２０の動作を統括的に制御する。ＣＰＵ１１２１は、ＲＡＭ１１２３をワークエリアとしてＲＯＭ１１２２またはフラッシュメモリ１１２４等に格納されたプログラムを実行することで、操作部１１２０全体の動作を制御し、ユーザから受け付けた入力に応じた情報（画像）の表示などの各種機能を実現する。通信Ｉ／Ｆ１１２５は、ネットワークと接続するためのインタフェースである。接続Ｉ／Ｆ１１２６は、通信路１１３０を介して本体部１１１０と通信するためのインタフェースである。操作パネル１１２７は、ユーザの操作に応じた各種の入力を受け付けるとともに、各種の情報（例えば、受け付けた操作に応じた情報、画像形成装置本体１１の動作状況を示す情報、設定状態などを示す情報等）を表示する。更に、これに加え、またはこれに代えて、ハードウェアキー等の操作部やランプ等の表示部を設けることもできる。外部接続Ｉ／Ｆ１１２８は、ＩＣカードリーダ等の機器と接続するためのインタフェースである。
【００２８】
図５は内作周辺機１２およびサードベンダ周辺機１４のハードウェア構成例を示す図である。
【００２９】
図５において、内作周辺機１２等は、バス１２０７を介して相互に接続されたＣＰＵ１２０１、ＲＡＭ１２０２、ＲＯＭ１２０３、フラッシュメモリ１２０４、接続Ｉ／Ｆ１２０５、エンジン部１２０６を備えている。エンジン部１２０６は、内作周辺機１２等における後処理を実行する部分である。ＣＰＵ１２０１は、ＲＡＭ１２０２をワークエリアとしてＲＯＭ１２０３またはフラッシュメモリ１２０４等に格納されたプログラムを実行することで、エンジン部１２０６の動作を統括的に制御する。接続Ｉ／Ｆ１２０５は、内作周辺機１２等に接続される機器とのインタフェースである。
【００３０】
図６はインタフェースボックス１３のハードウェア構成例を示す図である。
【００３１】
図６において、インタフェースボックス１３は、バス１３０６を介して相互に接続されたＣＰＵ１３０１、ＲＡＭ１３０２、ＲＯＭ１３０３、フラッシュメモリ１３０４、接続Ｉ／Ｆ１３０５を備えている。
【００３２】
図７は、画像形成装置本体１１、内作周辺機１２（図３（ａ）に示した構成では存在しない）、インタフェースボックス１３、サードベンダ周辺機１４のソフトウェア構成例を示す図である。
【００３３】
図７において、画像形成装置本体１１は制御部１１１とアプリケーション部１１２とを備えている。制御部１１１は、アプリケーション部１１２の実行により、画像形成装置本体１１内の処理（画像形成、給紙・排紙等）を制御するとともに、画像形成装置本体１１に接続される内作周辺機１２、インタフェースボックス１３およびサードベンダ周辺機１４と通信を行って動作を制御する。
【００３４】
内作周辺機１２は制御部１２１を備えている。制御部１２１は、画像形成装置本体１１の制御部１１１と通信を行い、内作周辺機１２内の処理を制御する。
【００３５】
インタフェースボックス１３は制御部１３１を備えている。なお、インタフェースボックス１３は画像形成装置本体１１または内作周辺機１２から電源供給を受ける。制御部１３１は、画像形成装置本体１１の制御部１１１または内作周辺機１２の制御部１２１とサードベンダ周辺機１４の制御部１４１の間のデータの変換（通過させる指示・命令等の選別および形式の変換等）を行うとともに、画像形成装置本体１１の起動時に記憶領域１３２の書き換え可能領域１３４に記録された後処理種類の情報を制御部１１１に通知する。
【００３６】
記憶領域１３２には、固定領域１３３と書き換え可能領域１３４とが設けられ、固定領域１３３は制御部１３１の処理に用いる固定的な情報が記録されている。書き換え可能領域１３４には、サードベンダ周辺機１４との接続時に、サービスマン等により、サードベンダ周辺機１４の後処理種類（１枚処理、束処理、両方等）の情報が記録される。
【００３７】
画像形成装置本体１１における印刷用のアプリケーションは、コピー、ドキュメントボックス、プリンタ、ユーティリティ、ＳＤＫアプリなど多岐にわたるため、アプリケーションからサードベンダ周辺機１４の後処理種類を受け渡すのはソフト変更への影響を考えると良い方法とはいえない。１枚処理か束処理かは接続するサードベンダ周辺機１４の特徴によって決定されるため、後処理種類の情報は、サードベンダ周辺機１４から画像形成装置本体１１のコントローラへ事前に通知するのが好ましい。しかし、サードベンダ周辺機１４は、内作周辺機１２とは異なり、画像形成装置本体１１側からの制御ができないことが多く（例えば、サードベンダ周辺機１４は電源が画像形成装置本体１１とは独立して存在する機種が多い）、サードベンダ周辺機１４から自身の後処理種類の情報を通知してもらう方法も難しい。そこで、サードベンダ周辺機１４と内作周辺機１２または画像形成装置本体１１の間に位置するインタフェースボックス１３にこの責務を持たせることとした。インタフェースボックス１３に書き換え可能領域１３４を持たせ、接続するサードベンダ周辺機１４によって決まる後処理種類の情報を書き換えできるようにする。
【００３８】
サードベンダ周辺機１４は制御部１４１を備えている。制御部１４１は、インタフェースボックス１３の制御部１３１と通信を行い、サードベンダ周辺機１４内の処理を制御する。
【００３９】
＜動作＞
図８は上記の実施形態の処理例を示すフローチャートであり、画像形成装置本体１１における制御部１１１の処理を中心に示している。
【００４０】
図８において、電源投入等により画像形成装置本体１１が起動すると（ステップＳ１０１）、インタフェースボックス１３の制御部１３１は書き換え可能領域１３４からサードベンダ周辺機１４の後処理種類の情報を画像形成装置本体１１に通知し、画像形成装置本体１１の制御部１１１は後処理種類の情報を読み込む（ステップＳ１０２）。
【００４１】
次いで、制御部１１１は、ユーザから印刷開始指示を受け付けると（ステップＳ１０３）、接続されたサードベンダ周辺機１４の後処理種類に応じて処理を分岐する（ステップＳ１０４）。
【００４２】
サードベンダ周辺機１４の後処理種類が１枚処理である場合（ステップＳ１０４の１枚処理）、画像形成装置本体１１の制御部１１１は、転写紙１枚分の印刷コマンドを発行し（ステップＳ１０５）、転写紙１枚分の後処理コマンドを発行し（ステップＳ１０６）、最終ページまで完了したか判断する（ステップＳ１０７）。最終ページまで完了していない場合（ステップＳ１０７のＮｏ）、転写紙１枚分の印刷コマンドの発行（ステップＳ１０５）から繰り返す。最終ページまで完了した場合（ステップＳ１０７のＹｅｓ）、最終部まで完了したか判断する（ステップＳ１０８）。最終部まで完了していない場合（ステップＳ１０８のＮｏ）、転写紙１枚分の印刷コマンドの発行（ステップＳ１０５）から繰り返す。最終部まで完了した場合（ステップＳ１０８のＹｅｓ）、処理を終了する。すなわち、サードベンダ周辺機１４の後処理種類が１枚処理である場合には、最終ページが完了するまで繰り返して１枚分の印刷コマンドおよび後処理コマンドを発行し、最終部が完了するまで繰り返す。
【００４３】
サードベンダ周辺機１４の後処理種類が束処理である場合（ステップＳ１０４の束処理）、画像形成装置本体１１の制御部１１１は、転写紙１枚分の印刷コマンドを発行し（ステップＳ１０９）、最終ページまで完了したか判断する（ステップＳ１１０）。最終ページまで完了していない場合（ステップＳ１１０のＮｏ）、転写紙１枚分の印刷コマンドの発行（ステップＳ１０９）から繰り返す。最終ページまで完了した場合（ステップＳ１１０のＹｅｓ）、転写紙１束分の後処理コマンドを発行し（ステップＳ１１１）、最終部まで完了したか判断する（ステップＳ１１２）。最終部まで完了していない場合（ステップＳ１１２のＮｏ）、転写紙１枚分の印刷コマンドの発行（ステップＳ１０９）から繰り返す。最終部まで完了した場合（ステップＳ１１２のＹｅｓ）、処理を終了する。すなわち、サードベンダ周辺機１４の後処理種類が束処理である場合には、最終ページが完了するまで繰り返して１枚分の印刷コマンドを発行し、最終ページの完了後に１束分の後処理コマンドを発行し、最終部が完了するまで繰り返す。
【００４４】
サードベンダ周辺機１４の後処理種類が１枚処理と束処理の両方である場合（ステップＳ１０４の両方）、画像形成装置本体１１の制御部１１１は、転写紙１枚分の印刷コマンドを発行し（ステップＳ１１３）、転写紙１枚分の後処理コマンドを発行し（ステップＳ１１４）、最終ページまで完了したか判断する（ステップＳ１１５）。最終ページまで完了していない場合（ステップＳ１１５のＮｏ）、転写紙１枚分の印刷コマンドの発行（ステップＳ１１３）から繰り返す。最終ページまで完了した場合（ステップＳ１１５のＹｅｓ）、転写紙１束分の後処理コマンドを発行し（ステップＳ１１６）、最終部まで完了したか判断する（ステップＳ１１７）。最終部まで完了していない場合（ステップＳ１１７のＮｏ）、転写紙１枚分の印刷コマンドの発行（ステップＳ１１３）から繰り返す。最終部まで完了した場合（ステップＳ１１７のＹｅｓ）、処理を終了する。すなわち、サードベンダ周辺機１４の後処理種類が１枚処理と束処理の両方である場合には、最終ページが完了するまで繰り返して１枚分の印刷コマンドおよび後処理コマンドを発行し、最終ページの完了後に１束分の後処理コマンドを発行し、最終部が完了するまで繰り返す。
【００４５】
＜総括＞
以上説明したように、本実施形態によれば、インラインで接続したサードベンダ周辺機の後処理種類によらずソフト設計の変更を行うことなく対応可能とすることができる。
【００４６】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【００４７】
＜実施形態の用語と請求項の用語の対応＞
書き換え可能領域１３４は「記憶領域」の一例である。制御部１３１は「通知手段」の一例である。制御部１１１は「発行手段」の一例である。
【符号の説明】
【００４８】
１          画像形成装置
１１        画像形成装置本体
１１１      制御部
１１２      アプリケーション部
１２        内作周辺機
１２１      制御部
１３        インタフェースボックス
１３１      制御部
１３２      記憶領域
１３３      固定領域
１３４      書き換え可能領域
１４        サードベンダ周辺機
１４１      制御部
【先行技術文献】
【特許文献】
【００４９】
【特許文献１】特開２０１２−２３８１８８号公報
【特許文献２】特開２０１４−３５３８０号公報
【図１】
0006467934.tif 000002
【図２】
0006467934.tif 000003
【図３】
0006467934.tif 000004
【図４】
0006467934.tif 000005
【図５】
0006467934.tif 000006
【図６】
0006467934.tif 000007
【図７】
0006467934.tif 000008
【図８】
0006467934.tif 000009